(57)【要約】【課題】コストや部品点数を抑制しつつ、画像読取装置により読取可能な原稿のうち最大サイズの原稿を超える原稿であっても、その一部の画像を前記複写装置で読み取らせる際に良好な操作性が得られる画像読取装置を提供する。【解決手段】原稿台２ａに載置された原稿のうち一部の領域における画像のみを抽出して画像形成できるように構成するとともに、その抽出される領域を、原稿押圧板３から原稿台２ａに向けて出力する照明光により光学的に示すようにした。【選択図】図４
2007180802.tif 000002
【特許請求の範囲】
【請求項１】
原稿が載置される原稿載置面と、所定部位が回動軸により回動可能に軸支されることにより前記原稿載置面に対して対接離反可能に構成され、前記原稿載置面に載置された原稿の画像を読み取る画像読取機構を備えた原稿押圧板とを備えた画像読取装置において、
前記原稿押圧板が前記原稿載置面から離間した所定位置に位置するときに、前記原稿載置面に向けて前記画像読取機構による読み取り領域を示す指標を光学的に提供する領域提供手段を備えることを特徴とする画像読取装置。
【請求項２】
前記画像読取機構は、前記領域提供手段により提供される指標で示された読み取り領域の画像を読み取ることを特徴とする請求項１に記載の画像読取装置。
【請求項３】
前記画像読取機構により読み取られた原稿の画像の中から、前記領域提供手段により提供される指標で示された読み取り領域の画像を抽出する抽出手段を備えることを特徴とする請求項１または２に記載の画像読取装置。
【請求項４】
前記領域提供手段は、光源と、該光源から出力された光を前記原稿載置面に導く照明光学系とを有して構成されており、前記原稿載置面に載置された原稿のうち前記光源からの光が照射された領域を前記読み取り領域として示すように構成されていることを特徴とする請求項１ないし３のいずれかに記載の画像読取装置。
【請求項５】
前記領域提供手段は、光源を用いて所定のマークを前記原稿載置面に向けて投影する投影構造を有し、前記原稿載置面に載置された原稿上に投影された前記マークにより前記読み取り領域を示すように構成されていることを特徴とする請求項１ないし４のいずれかに記載の画像読取装置。
【請求項６】
前記領域提供手段は、前記指標が示す前記読み取り領域のサイズを変化させるサイズ可変機構を備えることを特徴とする請求項１ないし５のいずれかに記載の画像読取装置。
【請求項７】
前記領域提供手段は、前記指標が示す前記読取領域の位置を変化させる位置可変機構を備えることを特徴とする請求項１ないし６のいずれかに記載の画像読取装置。
【発明の詳細な説明】
【技術分野】
【０００１】
本発明は、装置本体に対して所定部位が回動軸により回動可能に軸支されることにより装置本体の上面に対して対接離反可能に構成された原稿押圧板に、原稿の画像を読み取る画像読取機構を搭載した画像読取装置に関する。
【背景技術】
【０００２】
従来、原稿が載置されるコンタクトガラスの下方から該原稿に対して光を照射し、該原稿の画像を読み取る複写装置が開示されている（下記特許文献１参照）。また、下記特許文献２には、この種の複写装置において、光学スキャナユニットを原稿の所望の下方位置に移動する指示を入力できる入力部を備えるとともに、入力部により移動された光学スキャナユニットの露光ランプを一定時間点灯させることにより、該光の透過範囲に複写しようとする所望の原稿位置をセットさせるようにした技術が開示されている。
【０００３】
一方、下記特許文献３には、原稿が載置される筺体上面部のステージ面全体を、該ステージ面の下方から撮像するＣＣＤカメラを備えるとともに、該ＣＣＤカメラにより撮像されたステージ面の画像を表示パネルに画面表示する複写装置が開示されている。また、前記表示パネルには、原稿画像に併せて複写用紙のサイズや複写倍率に応じて複写対象領域を示すフレームを表示する技術が開示されている。
【特許文献１】特開平１１−４４９８４号公報
【特許文献２】特開平９−２８８３１８号公報
【特許文献３】特開平１０−１４３０１６号公報
【発明の開示】
【発明が解決しようとする課題】
【０００４】
前記特許文献１、２においては、複写装置（画像読取装置）により読取可能な原稿のうち最大サイズの原稿を超える原稿の一部の画像を前記複写装置で読み取らせようとするとき、画像を読み取る必要の無い部分をある程度折り畳んだ上で、読み取らせたい画像の部分を含む領域をコンタクトガラスに押し当てて読取動作を行わせることになる。この場合、読み取らせたい画像が下向きとなるため、ユーザは、その読み取らせたい画像が実際に読み取られたのかとか、読み取らせたい画像が読み取り領域の略中央位置で読み取られたのかとかの判別を行い難い。
【０００５】
この点、前記特許文献３の技術にあっては、ステージ面の下方から撮像するＣＣＤカメラでステージ面の画像を撮像し、撮像した画像を表示パネルに表示するため、上記のような不具合が解消されるが、比較的高価なＣＣＤカメラやディスプレイが必要であるため、コストや部品点数が大幅に増大することとなる。
【０００６】
本発明は、上記事情に鑑みてなされたもので、コストや部品点数を抑制しつつ、画像読取装置により読取可能な原稿のうち最大サイズの原稿を超える原稿であっても、その一部の画像を前記複写装置で読み取らせる際に良好な操作性が得られる画像読取装置を提供することを目的とする。
【課題を解決するための手段】
【０００７】
請求項１に記載の発明は、原稿が載置される原稿載置面と、所定部位が回動軸により回動可能に軸支されることにより前記原稿載置面に対して対接離反可能に構成され、前記原稿載置面に載置された原稿の画像を読み取る画像読取機構を備えた原稿押圧板とを備えた画像読取装置において、前記原稿押圧板が前記原稿載置面から離間した所定位置に位置するときに、前記原稿載置面に向けて前記画像読取機構による読み取り領域を示す指標を光学的に提供する領域提供手段を備えることを特徴とするものである。
【０００８】
この発明によれば、原稿押圧板が原稿載置面から離間した所定位置に位置するときに、前記原稿載置面に向けて前記画像読取機構による読み取り範囲を示す指標を光学的に提供する領域提供手段を備えたので、ユーザは、画像読取機構による読み取り範囲を容易に認識することができる。
【０００９】
その場合に、請求項２に記載の発明のように、領域提供手段で提供される指標により示された読み取り領域の画像のみを画像読取機構により読み取るようにしてもよいし、請求項３に記載の発明のように、画像読取機構により読み取られた原稿の画像の中から、前記領域提供手段により提供される指標で示された読み取り領域の画像を抽出するようにしてもよい。
【００１０】
請求項４に記載の発明は、請求項１ないし３のいずれかに記載の画像読取装置において、前記領域提供手段は、光源と、該光源から出力された光を前記原稿載置面に導く照明光学系とを有して構成されており、前記原稿載置面に載置された原稿のうち前記光源からの光が照射された領域を前記読み取り領域として示すように構成されていることを特徴とするものである。
【００１１】
この発明によれば、領域提供手段を、光源と、該光源から出力された光を前記原稿載置面に導く照明光学系とを有して構成したので、前記領域提供手段を比較的簡単に構成することができる。
【００１２】
請求項５に記載の発明は、請求項１ないし４のいずれかに記載の画像読取装置において、前記領域提供手段は、光源を用いて所定のマークを前記原稿載置面に向けて投影する投影構造を有し、前記原稿載置面に載置された原稿上に投影された前記マークにより前記読み取り領域を示すように構成されていることを特徴とするものである。
【００１３】
この発明によれば、領域提供手段を、光源を用いて所定のマークを前記原稿載置面に向けて投影する投影構造により構成したので、請求項４記載の発明と同様、前記領域提供手段を比較的簡単に構成することができる。
【００１４】
請求項６に記載の発明は、請求項１ないし５のいずれかに記載の画像読取装置において、前記領域提供手段は、前記指標が示す前記読み取り領域のサイズを変化させるサイズ可変機構を備えることを特徴とするものである。
【００１５】
この発明によれば、指標が示す読み取り領域のサイズを変化させるサイズ可変機構を備えたので、指標が示す読み取り領域のサイズを変化させることができ、画像読取機構による読み取り領域の大きさや抽出手段による抽出領域の大きさを変更する構成を実現し得る。
【００１６】
請求項７に記載の発明は、請求項１ないし６のいずれかに記載の画像読取装置において、前記領域提供手段は、前記指標が示す前記読取領域の位置を変化させる位置可変機構を備えることを特徴とするものである。
【００１７】
この発明によれば、指標が示す前記読取領域の位置を変化させる位置可変機構を備えたので、指標が示す前記読取領域の位置を変化させることができ、画像読取機構による読み取り領域の位置や抽出手段による抽出領域の位置を変更する構成を実現し得る。
【発明の効果】
【００１８】
本発明によれば、従来のようにＣＣＤカメラやディスプレイを備える構成に比して、画像読取装置の大型化・部品点数及びコストアップを抑制しつつ、画像読取装置により読取可能な原稿のうち最大サイズの原稿を超える原稿であっても、その一部の画像を前記複写装置で読み取らせる際の画像読取装置の操作性を向上することができる。
【発明を実施するための最良の形態】
【００１９】
本発明に係る画像読取装置の実施形態について説明する。
【００２０】
以下、本発明に係る画像読取装置の一例である複写機の実施形態を図面に基づいて説明する。図１は、第１の実施形態に係る複写機の外観図、図２は、本実施形態に係る複写機１の電気的構成を示すブロック図である。
【００２１】
複写機１は、装置本体２と、該装置本体２の上面において後方の部位において該装置本体２に回動自在に軸支され、前方の部位が開閉可能に構成された原稿押圧板３とを備えて構成されている。装置本体２は、原稿読取部６により読み取った原稿画像を記録紙に形成する画像形成部４と、複写機１の複写動作に関する設定項目について所望の選択や設定等を行うための入力操作部５とを有する。また、図示していないが、装置本体２には、画像形成部４に供給するための記録紙を収納する給紙カセット、画像形成部４で画像が形成された記録紙が排出される記録紙排出部が備えられている。
【００２２】
画像形成部４は、原稿読取部６で読み取って得た画像データに基づいて記録紙に画像を形成するものであり、詳細には図示しないが、感光体ドラム、感光体ドラムの周面に対向して配設された帯電部、帯電部の下流側であって感光体ドラムの周面に対向して配設された露光部、露光部の下流側であって感光体ドラムの周面に対向して配設された現像部、現像部の下流側であって感光体ドラムの周面に対向して配設されたクリーニング部等を備えている。
【００２３】
原稿押圧板３は、装置本体２の上面から起立し該上面が外部に露出する開放位置と、原稿押圧板３と装置本体２の上面とが密着する閉鎖位置との間で回動自在に構成されており、装置本体２の上面に設定された原稿台２ａに載置された原稿を装置本体２の上面に押し付ける機能を有するとともに、原稿台２ａに載置された原稿の画像をその上方から読み取る原稿読取部６を有している。
【００２４】
原稿読取部６は、装置本体２の上面と対向する位置に、該上面に沿って移動可能に配設されたＣＣＤ（Charge Coupled Device）ラインセンサ３５及び図略の露光ランプ等を有する光学系ユニット（図示せず）とを備えている。ＣＣＤラインセンサ３５は、図略の駆動部によって移動可能に構成されており、原稿台２ａに載置された原稿を読み取るとき、原稿押圧板３が前記閉鎖位置に位置する状態で、原稿台２ａに対向する位置で原稿面に沿って移動し、原稿画像を走査しつつ取得した画像データを後述の制御部７へ出力する。
【００２５】
ここで、本実施形態の複写機１における原稿読取部６は、予め設定された走査対象領域を走査し、この走査対象領域に相当する画像の画像データをＣＣＤラインセンサ３５により取得するように構成されているが、この原稿読取部６により読み取った画像の略全てを記録紙に画像形成する通常読取モードの他に、原稿読取部６により読み取った画像のうち、ユーザが所望する一部の画像のみを記録紙に画像形成する部分読取モードを有している。本実施形態の複写機１は、この部分読取モードを実現するべく、以下の読取範囲報知部８及び開放検知センサ９が備えられており、画像形成される前記一部の画像を抽出する領域を、原稿押圧板３から原稿台２ａに向けて出力する照明光により光学的に示すように構成されている。図３は、読取範囲報知部８の構成を示す図である。
【００２６】
図３に示すように、読取範囲報知部８は、前記部分読取モードにおいて原稿読取部６により読み取る領域を照明することにより光学的に示すものであり、光を出力する光源部１０と、変倍機能を備えた照明光学系１１とを有し、図４に示すように、該光源部１０から出力された光を前記照明光学系１１により前記原稿台２ａに導くように構成されている。図４の「Ｓ」は、読取範囲報知部８により照明された領域を示すものである。
【００２７】
照明光学系１１は、図略のモータにより光軸方向に駆動可能に構成された変倍レンズ群１２を備え、該変倍レンズ群１２が光軸方向（図３の矢印Ａ方向）に駆動されると、図５（ａ）〜（ｃ）に示すように、原稿台２ａ上の載置された原稿に対する照射領域（照射領域Ｓ１〜Ｓ３）が変化するようになっている。
【００２８】
なお、図示しないが、読取範囲報知部８は、変倍レンズ群１２の光軸方向における位置を検出するレンズ位置検出部を備え、部分画像読取モードにおいて、該検出部により検出された変倍レンズ群の光軸方向における位置に応じて、原稿読取部６により読み取った画像の中から読取範囲報知部８の照射範囲に対応する画像（ユーザが所望する一部の画像）を抽出するトリミング領域を設定するようになっている。
【００２９】
入力操作部５は、装置本体２の前面適所に設置されており、図６に示すように、記録紙サイズ、倍率、濃度、複写部数などの画像形成条件を入力したり表示したりする液晶表示部１３やテンキー１４、複写の開始を指示するためのスタートボタン１５等を有するとともに、当該複写機１を前記部分画像読取モードに設定するための部分画像読取モード設定ボタン１６と、読取範囲報知部８による照射領域（トリミング領域）を調整するための調整部１７が備えられている。
【００３０】
調整部１７は、前記読取範囲報知部８の照射領域（記録紙に画像形成する領域）を拡大するための拡大ボタン１８と、前記照射領域（記録紙に画像形成する領域）を縮小するための縮小ボタン１９とを有する。入力操作部５は、これらのボタン等の操作情報を制御部７に出力する。
【００３１】
開放検知センサ９は、原稿押圧板３が前記開放位置に設定されたときにのみ、部分画像読取モードにおけるユーザによる原稿の読取範囲の指定（読取範囲報知部８による照射領域の設定）を許容するために設けられたものであり、原稿台２ａの台面から出没可能なボタン２０と、該ボタン２０に連結された図略のオンオフスイッチとを有して構成されている。図７は、図１の矢印Ｂの方向から見た側面図である。図７に示すように、ボタン２０は、原稿台２ａの台面に対する原稿押圧板３の傾斜角度が０度から前記開放位置に対応する所定角度θまでの範囲においては、原稿押圧板３により押し下げられて前記オンオフスイッチがオンされ、該オンオフスイッチから制御部７に閉鎖信号が出力される一方、前記台面に対する原稿押圧板３の傾斜角度が前記所定角度θに達すると、原稿押圧板３による押圧が解除されて前記オンオフスイッチがオフされ、該オンオフスイッチから制御部７に開放信号を出力するように構成されている。
【００３２】
制御部７は、演算処理を実行するＣＰＵ、処理プログラムやデータなどを記憶するＲＯＭ、及び、データを一時的に記憶するＲＡＭを備えたマイクロコンピュータなどで構成され、入力操作部５で設定された記録紙サイズ等の画像形成条件に基づいて原稿読取部６や画像形成部４における各動作を制御するものである。
【００３３】
また、制御部７は、前記部分読取モードを実現するべく、図２に示すように、機能的に、モード設定部２１と、点灯制御部２２と、駆動制御部２３と、読取制御部２４と、トリミング部２５と、画像形成制御部２６とを有する。
【００３４】
モード設定部２１は、複写機１を前記通常読み取りモードと部分読取モードとの間でモードの設定を行うものであり、入力操作部５により部分画像読取モード設定ボタン１６が操作されたときに前記部分読取モードに設定し、それ以外のときは通常読取モードに設定する。
【００３５】
点灯制御部２２は、前記モード設定部２１により部分読取モードに設定され、且つ、開放検知センサ９から開放信号が出力されている場合にのみ、読取範囲報知部８の光源部１０を点灯させるものである。
【００３６】
駆動制御部２３は、入力操作部５の拡大ボタン１８又は縮小ボタン１９の操作に応じて、読取範囲報知部８における照明光学系１１の変倍レンズ群１２を駆動する図略のモータの駆動を制御するものである。すなわち、拡大ボタン１８が操作されると、照射領域を例えば図５（ａ）に示す照射領域Ｓ１から図５（ｂ），（ｃ）に示す照射領域Ｓ２，Ｓ３に拡大させるべく前記変倍レンズ群１２を光軸方向に移動させる一方、縮小ボタン１９が操作されると、例えば図５（ｃ）に示す照射領域Ｓ３から図５（ａ），（ｂ）に示す照射領域Ｓ１，Ｓ２に照射領域を縮小させるべく前記変倍レンズ群１２を光軸方向に移動させる。
【００３７】
読取制御部２４は、原稿読取部６による画像の読取動作を制御するものであり、通常読取モード及び部分読取モードにおいて、開放検知センサ９から閉鎖信号が出力されている場合に、スタートボタン１５が操作されると、原稿読取部６による画像の読取動作を行わせる。
【００３８】
トリミング部２５は、前記部分読取モードが設定されている場合に、原稿読取部６で読み取られた画像のうち、読取範囲報知部８により照射した領域の画像（以下、部分画像という）を抽出するものである。トリミング部２５は、変倍レンズ群１２の光軸方向における位置と画像の抽出範囲との関係を示すルックアップテーブルを有し、このルックアップテーブルを参照して、レンズ位置検出部からの位置信号に基づき画像の抽出範囲を導出し、この抽出範囲に属する部分の画像を原稿読取部６で読み取られた画像の中から抽出する。
【００３９】
画像形成制御部２６は、原稿読取部６により読み取られた原稿の画像信号を画像形成部４に出力し、画像形成部４に前記画像信号に基づく画像形成動作を行わせるものである。画像形成制御部２６は、当該複写機１が前記通常読取モードに設定されている場合には、原稿読取部６により読み取られた画像に係る画像信号の略全てを画像形成部４に出力し、この画像の画像形成動作を画像形成部４に行わせる一方、当該複写機１が前記部分読取モードに設定されている場合には、トリミング部２５により抽出された部分画像の画像信号を画像形成部４に出力し、この部分画像の画像形成動作を画像形成部４に行わせる。
【００４０】
図８は、部分読取モードにおける複写機１の画像読取動作及び画像形成動作を示すフローチャートである。
【００４１】
図８に示すように、部分画像読取モード設定ボタン１６の操作が行われると（ステップ♯１でＹＥＳ）、制御部７は、部分読取モードに設定する（ステップ♯２）。そして、原稿押圧板３が開放位置に設定されたか否かを判断し（ステップ♯３）、開放位置に設定されていない場合は（ステップ♯３でＮＯ）、待機する一方、開放位置に設定されると（ステップ♯３でＹＥＳ）、読取範囲報知部８の光源部を点灯する（ステップ♯４）。
【００４２】
次に、制御部７は、拡大ボタン１８又は縮小ボタン１９が操作されたか否かを判断し（ステップ♯５）、拡大ボタン１８又は縮小ボタン１９の操作が行われた場合には（ステップ♯５でＹＥＳ）、変倍レンズ群１２の光軸方向における位置（前記読取範囲報知部８による照射領域）を、操作したボタン（拡大ボタン１８又は縮小ボタン１９）の種類に応じて変更する一方（ステップ♯６）、拡大ボタン１８又は縮小ボタン１９の操作が行われていない場合には（ステップ♯５でＮＯ）、ステップ♯６の処理を行わずにステップ♯７の処理に進む。
【００４３】
ステップ♯７では、制御部７は、開放検知センサ９の検知信号に基づき原稿押圧板３が閉鎖位置に設定されたか否かを判断し（ステップ♯７）、原稿押圧板３が閉鎖位置に設定されていない場合には（ステップ♯７でＮＯ）、ステップ♯５の処理に戻る一方、原稿押圧板３が閉鎖位置に設定された場合には（ステップ♯７でＹＥＳ）、原稿読取部６に画像の読取動作を行わせ、読み取った画像から照射された範囲に相当する部分のみを抽出するトリミング処理を実行し（ステップ♯９）、この抽出した部分の画像の記録紙への画像形成を画像形成部４に実行させる（ステップ♯１０）。
【００４４】
このように、本実施形態では、原稿台２ａに載置された原稿のうち一部の領域における画像のみを抽出して画像形成できるように構成するとともに、その抽出される領域を、原稿押圧板３から原稿台２ａに向けて出力する照明光により光学的に示すようにしたので、ユーザは、画像形成の対象となる領域を容易に認識することができる。これにより、複写機１により読取可能な原稿のうち最大サイズの原稿を超える原稿であっても、その一部の画像を前記複写機１で読み取らせる際の操作性が良好な複写機１を実現することができる。
【００４５】
また、原稿読取部６による読取領域を光学的に示す構成を光源部１０と照明光学系１１とを用いて構成したので、従来のようにＣＣＤカメラやディスプレイを備える構成に比して、装置のコストアップや大型化・部品点数の増大を抑制することが可能となる。
【００４６】
さらに、拡大ボタン１８又は縮小ボタン１９の操作によりユーザが前記抽出範囲を設定できるようにしたので、複写機１の利便性を向上することができる。
【００４７】
本件は、前記実施形態に加えて、あるいは前記実施形態に代えて次の形態［１］〜［６］に説明する変形形態も含むものである。
【００４８】
［１］前記第１の実施形態の照射領域（読取領域）の拡大・縮小機能に代えてもしくはそれに加えて、画像形成する用紙のサイズ（例えばＡ４やＢ５の用紙サイズ）を選択する選択部を備えるとともに、前記用紙サイズに応じた１又は複数の照射領域を予め設定しておき、用紙サイズが選択されると、その用紙サイズに対応する領域を照射し、その照射領域の画像を読み取る機能を搭載するようにするとよい。この場合、ユーザはこの照射領域に所望の読取領域を合致させることになる。
【００４９】
［２］前記第１の実施形態では、照明光学系１１により照射される照射領域を、部分読取モードで抽出され記録紙に画像形成される領域を示す指標として光学的にユーザに提供するようにしたが、これに限らず、光源部をＬＥＤ（Light Emitting Diode）やレーザ光源等で構成し、図９に示すように、矩形状の読取領域の角端部のみを照射するように、前記光源部からスポット光Ｐ１〜Ｐ４を原稿台２ａに向けて出力するようにしてもよい。
【００５０】
また、この場合において、例えば図１０に示すように構成して、スポット光Ｐ１〜Ｐ４の位置を変更できるようにするとよい。
【００５１】
図１０に示すように、可動機構２７は、一対のラックギヤ２８，２９がピニオンギヤ３０を挟んで対向した状態で前記ピニオンギヤ３０に噛合した構成とされている。また、ラックギヤ２８，２９における互いに反対側の端部には、ＬＥＤ等からなる光源部３１，３２が取り付けられている。
【００５２】
さらに、一方のラックギヤ２８の所定位置には、ホール素子等を備えてなる位置検出センサ３３が設置されており、位置検出センサ３３は、ラックギヤ２８の図１０における左右方向の位置を示す位置検出信号を制御部７（図２参照）出力する。
【００５３】
そして、ピニオンギヤ３０が例えば矢印Ｃの方向に回転すると、ラックギヤ２８は矢印Ｄの方向に、ラックギヤ２９は矢印Ｅの方向にそれぞれ平行移動し、ピニオンギヤ３０が例えば矢印Ｆの方向に回転すると、ラックギヤ２８は矢印Ｇの方向に、ラックギヤ２９は矢印Ｈの方向にそれぞれ平行移動する。
【００５４】
このような可動機構２７を２組用意し、一方の可動機構２７により例えばスポット光Ｐ１，Ｐ４が生成され、他方の可動機構２７により例えばスポット光Ｐ２，Ｐ３が生成されるように構成するとよい。
【００５５】
なお、ラックギヤ２８，２９をステッピングモータにより駆動するようにすると、このステッピングモータに出力する駆動信号のパルス数に基づいて、ラックギヤ２８，２９の位置を検出することができることから、この場合には、位置検出センサ３３は不要となる。
【００５６】
また、この構成とは別に、例えばラインで表されたスケール枠を原稿に向けて投影することで、画像の抽出範囲を光学的に示すようにしてもよい。この場合、スケール枠が表記された透明板を、その背後から原稿押圧板３に搭載された光源により照射することで、スケール枠を原稿に向けて投影する形態や、前記透明板及び光源を装置本体２に搭載するとともに、前記光源からの光を反射する反射鏡を原稿押圧板３に設置し、スケール枠が表記された透明板を、その背後から装置本体２に搭載された光源により照射し、その透過光を前記反射鏡により原稿に向けて反射することで、スケール枠を原稿に向けて投影する形態が想定される。
【００５７】
［３］前記第１の実施形態では、読取範囲報知部８による照射範囲が可変とされていたが、図１１に示すように、その照射範囲を所定の方向に移動可能に構成してもよい。図１１は、読取範囲報知部８による照射領域の位置を、図１１における左右方向に、位置（１），（２），（３）の間で移動する態様を示した図である。この場合、照射領域の位置を変更できるようにするための構成として図１２に示す構成が想定される。
【００５８】
図１２に示す移動機構は、周面に螺子部を有する長尺円柱系状のガイド部材３４と、ユニット化された読取範囲報知部８を原稿台２ａの台面に対して所定の姿勢（角度）に保持する図略の保持機構とを備えている。一方、読取範囲報知部８には、前記ガイド部材３４と螺合する裸子部（図示せず）が形成されている。
【００５９】
そして、ガイド部材３４が図略のモータ等により矢印Ｘの方向に回転駆動されることで、読取範囲報知部８が所定の姿勢（角度）を維持したまま前記前記ガイド部材３４に沿って矢印Ｙの方向に移動し、その結果、照射領域の位置が矢印Ｚの方向に移動する。この矢印Ｚの方向と図１１に示す左右方向とを一致させることで、図１１に示すように、読取範囲報知部８による照射領域の位置を位置（１），（２），（３）の間で移動させることができる。
【００６０】
また、この構成とは別に、読取範囲報知部８の光軸の向きを手動又は自動で変更できるように構成してもよい。
【００６１】
［４］前記第１の実施形態では、部分画像読取モードであっても一旦原稿の画像全体を読み取った後、照射範囲に対応する部分の画像を抽出するようにしたが、これに限らず、スタートボタン１５により画像読取指示が行われると、読取範囲報知部８による照射領域に対応する部分の画像のみを原稿読取部６により読み取るようにしてもよい。
【００６２】
［５］読取範囲報知部８を原稿押圧板３に対して着脱可能に構成してもよい。
【００６３】
［６］本発明は、複写機に限らず、スキャナやファクシミリ等画像読取機構を備えるもの全てに適用可能である。
【図面の簡単な説明】
【００６４】
【図１】本発明に係る画像読取装置の第１の実施形態に係る複写機の外観図である。
【図２】複写機の電気的構成を示すブロック図である。
【図３】読取範囲報知部の構成を示す図である。
【図４】光源部から出力された光を照明光学系により原稿台に導く態様を示す図である。
【図５】原稿台上の載置された原稿に対する照射領域（照射領域Ｓ１〜Ｓ３）が変化する態様を示す図である。
【図６】入力操作部の外観構成図である。
【図７】図１の矢印Ｂの方向から見た側面図である。
【図８】部分読取モードにおける複写機の画像読取動作及び画像形成動作を示すフローチャートである。
【図９】スポット光Ｐ１〜Ｐ４を照射することで読取領域を示す態様を示す図である。
【図１０】読取範囲報知部による照射範囲を所定の方向に移動する態様を示す図である。
【図１１】読取範囲報知部による照射領域の位置を平行移動する態様を示した図である。
【図１２】照射領域の位置を変更できるようにするための構成を示す図である。
【符号の説明】
【００６５】
１    複写機
２    装置本体
２ａ    原稿台
３    原稿押圧板
４    画像形成部
５    入力操作部
６    原稿読取部
７    制御部
８    読取範囲報知部
９    開放検知センサ
１０，３１  光源部
１１  照明光学系
１２  変倍レンズ群
１６  部分画像読取モード設定ボタン
１７  調整部
１８  拡大ボタン
１９  縮小ボタン
２１  モード設定部
２２  点灯制御部
２３  駆動制御部
２４  読取制御部
２５  トリミング部
２６  画像形成制御部
２７  可動機構
【図１】
2007180802.tif 000003
【図２】
2007180802.tif 000004
【図３】
2007180802.tif 000005
【図４】
2007180802.tif 000006
【図５】
2007180802.tif 000007
【図６】
2007180802.tif 000008
【図７】
2007180802.tif 000009
【図８】
2007180802.tif 000010
【図９】
2007180802.tif 000011
【図１０】
2007180802.tif 000012
【図１１】
2007180802.tif 000013
【図１２】
2007180802.tif 000014